(57)【要約】【課題】バーコードのような取得可能提示情報により、提示された時刻あるいは取得時刻の情報を提供できるようにする。【解決手段】提示情報の生成手段は、刻々と変化する時刻情報を特定の情報と関連付けた情報を少なくとも含む提示用情報を生成する。提示手段は、生成手段により生成された提示用情報を、利用者が取得可能とする取得可能提示情報に変更して提示する。取得手段は、提示された取得可能提示情報を取得し、取得した取得可能提示情報から提示用情報を得る。判別手段は、取得手段で取得した提示用情報から特定の情報と関連付けられた時刻情報を得て、提示用情報が提示された時刻を判別する。【選択図】図１
2010128528.tif 000002
【特許請求の範囲】
【請求項１】
提示情報の生成手段が、刻々と変化する時刻情報を特定の情報と関連付けた情報を少なくとも含む提示用情報を生成する生成工程と、
提示手段が、前記生成工程で生成された前記提示用情報を、利用者が取得可能とする取得可能提示情報に変更して提示する提示工程と、
取得手段が、前記提示工程で提示された前記取得可能提示情報を取得し、取得した取得可能提示情報から前記提示用情報を得る取得工程と、
判別手段が、前記取得工程で取得した前記提示用情報から前記特定の情報と関連付けられた前記時刻情報を得て、前記提示工程で前記提示用情報が提示された時刻を判別する判別工程と、
を有する情報処理方法。
【請求項２】
請求項１に記載の情報処理方法において、
前記生成手段は、前記生成工程で、前記提示用情報に、前記時刻情報に加えて、前記提示工程で前記提示用情報が提示される場所の情報を含め、
前記判別手段は、前記判別工程において、前記時刻に加えて前記提示用情報が提示された場所を判別する
ことを特徴とする情報処理方法。
【請求項３】
請求項１または請求項２に記載の情報処理方法において、
前記生成手段は、前記提示用情報には、前記判別手段へのアクセス情報を、さらに含める
ことを特徴とする情報処理方法。
【請求項４】
請求項１または請求項２に記載の情報処理方法において、
前記提示工程における前記取得可能提示情報は、表示画面に表示されるバーコードパターンであり、
前記取得手段は撮像手段を備え、前記取得工程では、前記撮像手段により撮影された前記表示画面に表示された前記バーコードパターンを取り込み、当該取り込んだ前記バーコードパターンから前記提示用情報を得るようにし、
前記判別手段は、前記取得工程で得た前記提示用情報について、前記判別工程を実行する
ことを特徴とする情報処理方法。
【請求項５】
請求項３に記載の情報処理方法において、
前記提示工程における前記取得可能提示情報は、表示画面に表示されるバーコードパターンであり、
前記取得手段は撮像手段を備え、前記取得工程では、前記撮像手段により撮影された前記表示画面に表示された前記バーコードパターンを取り込み、当該取り込んだ前記バーコードパターンから前記提示用情報を得るようにし、
転送手段が、前記取得工程で取得された前記提示用情報に含まれる前記アクセス情報を用いて前記判別手段に、前記提示用情報を送る転送工程を設け、
前記判別手段は、前記転送工程で転送されてきた前記提示用情報を受けて、前記判別工程を実行する
ことを特徴とする情報処理方法。
【請求項６】
請求項５に記載の情報処理方法において、
前記アクセス情報は、インターネット上のＵＲＬ（Ｕｎｉｆｏｒｍ  Ｒｅｓｏｕｒｃｅ  Ｌｏｃａｔｏｒ）であり、
前記転送手段が、前記判別手段へのアクセス時に、前記ＵＲＬに加えて前記時刻情報、前記場所の情報を前記判別手段に送ることにより、前記提示用情報の転送工程を行い、
前記判別手段は、前記転送手段から送られてくる前記ＵＲＬに続く情報を解析して、前記特定の情報と関連付けられた前記時刻情報を判別することにより、前記判別工程を実行する
ことを特徴とする情報処理方法。
【請求項７】
請求項６に記載の情報処理方法において、
前記取得手段および前記転送手段は、携帯電話端末が備え、前記携帯電話端末が、前記取得工程および前記転送工程を実行する
ことを特徴とする情報処理方法。
【請求項８】
請求項１に記載の情報処理方法において、
前記時刻情報は、前記生成手段において一元管理されたものであり、
取得時間先後判断手段が、前記判別工程で判別された前記時刻情報を用いて、前記取得手段における前記提示用情報の取得の先後を判断する判断工程を備える
ことを特徴とする情報処理方法。
【請求項９】
請求項４〜請求項６のいずれかに記載の情報処理方法において、
前記提示工程における前記取得可能提示情報は、表示画面に表示されるバーコードパターンであり、前記提示手段は、前記提示工程において、前記バーコードパターンを、所定の表示情報と共に前記表示画面に表示するようにし、
表示情報提供手段が、提示する時刻に応じて変化可能とした前記所定の表示情報を、前記提示手段に提供する表示情報提供工程を設け、
前記判別手段は、前記判別工程において、前記判別した前記提示用情報が提示された時刻と、前記表示情報提供手段から送られてくる、または、予め記憶している前記所定の表示情報と前記提示する時刻の情報との対応関係を示す情報とから、前記判別した前記時刻に提示されていた前記表示情報を判別する
ことを特徴とする情報処理方法。
【請求項１０】
請求項４〜請求項６のいずれかに記載の情報処理方法において、
前記提示手段は、前記提示工程において、前記提示用情報を、バーコードパターンとして表示画面に表示すると共に、所定の表示情報を前記表示画面に表示するようにし、
表示情報提供手段が、提示する時刻および場所に応じて変化可能とした前記所定の表示情報を、前記提示手段に提供する表示情報提供工程を設け、
前記判別手段は、前記判別工程において、前記判別した前記提示用情報が提示された時刻および場所と、前記表示情報提供手段から送られてくる、または、予め記憶している前記所定の表示情報と前記提示する時刻および場所との対応関係を示す情報とから、前記判別した時刻および場所に提示されていた前記表示情報を判別する
ことを特徴とする情報処理方法。
【請求項１１】
請求項１に記載の情報処理方法において、
前記生成工程では、前記時刻情報と、当該時刻に応じて異なる情報を前記特定の情報として関連付ける
ことを特徴とする情報処理方法。
【請求項１２】
請求項１に記載の情報処理方法において、
前記生成工程では、前記時刻情報を前記特定の情報に基づいて暗号化することで、前記時刻情報と前記特定の情報とを関連付ける
ことを特徴とする情報処理方法。
【請求項１３】
刻々と変化する時刻情報を特定の情報と関連付けた情報を少なくとも含む提示用情報を生成する生成手段と、
前記生成手段で生成された前記提示用情報を、利用者が取得可能とする取得可能提示情報に変更して提示する提示手段と、
前記提示手段により提示された前記取得可能提示情報を取得し、取得した取得可能提示情報から前記提示用情報を得る取得手段と、
前記取得手段により取得された前記提示用情報から前記特定の情報と関連付けられた前記一元管理された時刻情報を得て、前記提示手段で前記提示用情報が提示された時刻を判別する判別手段と、
を有する情報処理システム。
【請求項１４】
請求項１３に記載の情報処理システムにおいて、
前記生成手段は、前記生成工程で、前記提示用情報に、前記時刻情報に加えて、前記提示工程で前記提示用情報が提示される場所の情報を含め、
前記判別手段は、前記判別工程において、前記時刻に加えて前記提示用情報が提示された場所を判別する
ことを特徴とする情報処理システム。
【発明の詳細な説明】
【技術分野】
【０００１】
この発明は、例えばバーコードパターンとして提示された情報についての取得時刻（提示時刻）や取得場所（提示場所）を判別することができる情報処理方法および情報処理システムに関する。
【背景技術】
【０００２】
近年、バーコードは、流通、製造、物流、サービス等の幅広い業界で普及してきている。さらには、１次元のバーコード（バーを１つの方向にのみ並べたもの）を、２次元に拡張した、ＱＲコード（登録商標）などの２次元バーコードの普及も進んでいる。
【０００３】
光学読み取り装置も進化してきており、記録密度が高い規格も出現してきている。従来、１次元バーコード自体には規格にも依存するが、だいたい２０文字前後の英数字を表現することができた。最近では、２０００文字を超えるような情報が格納できるような２次元バーコードの規格も登場している。
【０００４】
一方、急速な普及を遂げた携帯電話端末の多くは、カメラを搭載している。この携帯電話端末のカメラで、広告媒体等に表示されている２次元バーコードを撮影すると、自動的にメールアドレスやウェブサイトのＵＲＬ（Ｕｎｉｆｏｒｍ  Ｒｅｓｏｕｒｃｅ  Ｌｏｃａｔｏｒ）などを取得できるアプリケーションも普及してきている。
【０００５】
バーコードは必ずしも紙媒体に表示しなければならないわけではない。ディスプレイ画面にＷｅｂページに掲載してあるバーコードのパターン画像を表示し、これを携帯電話端末のカメラで撮影して、ＵＲＬ情報を取得することなども可能である（例えば特許文献１（特開２００８-９０５１２号公報）参照）。
【０００６】
上記の特許文献および非特許文献は、次の通りである。
【特許文献１】特開２００８−９０５１２号公報
【発明の開示】
【発明が解決しようとする課題】
【０００７】
ところで、従来のバーコードの提示方法は、主として、雑誌などの印刷物や表示画面に表示された静止画像に表示されるというものであり、一般に、固定のバーコードパターンからなる。
【０００８】
したがって、従来のバーコードの提示方法においては、バーコードパターンとして提示するコード情報に、時々刻々と変化する時刻を含めることは行われていない。このため、バーコードを取得した時刻がいつであるかを知る手立てが従来はなかった。
【０００９】
上記の特許文献１では、バーコードに、当該バーコードを付加して提示するコンテンツの提示時間帯情報を、コンテンツＩＤに対応付けたパスワードを、埋め込むことが記載されている。しかし、ここでバーコードに埋め込まれる情報は、予め定められた提示時間帯の情報であり、時々刻々と変化する時刻が埋め込まれるわけではないので、実際に、当該バーコードが取得された時刻を知ることができない。
【００１０】
例えばバーコードで提示される情報がＵＲＬ情報であって、携帯電話端末でバーコードを撮影してＵＲＬ情報を得たとき、そのＵＲＬのアクセス先に即座に、ユーザは、アクセスすることができる。そこで、バーコードから取得したＵＲＬでのアクセス時刻を、バーコードの取得時刻とすることも考えられる。
【００１１】
しかし、ユーザは、常に、バーコードから取得したＵＲＬに対して即座にアクセスするわけではないし、また、携帯電話端末が基地局からの電波が届かない圏外に存在するときには、アクセスすることは不可能である。
【００１２】
また、この方法では、バーコードを取得した時刻順に整理券を発行するなどのような先後の判断をすることができない。
【００１３】
さらに、従来のバーコードパターンの場合、複数の場所で同じパターンが提示されるようになっている。このため、バーコードがどこで取得されたかを知る手立ても従来は存在しない。
【００１４】
もしも、バーコードをいつどこで取得したかを判別することができれば、その判別結果の情報を用いることで、例えば広告効率の向上や、先着順販売などの人数を限定した広告を発信などをすることができ、その効用は非常に大きい。
【００１５】
なお、提示情報の提示および取得の方法としては、バーコードの印刷や表示およびその撮影による取得の方法のみではなく、例えば電磁誘導などを用いた非接触通信の方法もある。
【００１６】
この発明は以上の点にかんがみ、例えばバーコードのような取得可能提示情報により、提示された時刻（あるいはバーコードが取得された時刻）や場所の情報を提供できるようにすると共に、それを取得して利用できるようにする方法およびシステムを提供することを目的とする。
【課題を解決するための手段】
【００１７】
上記の課題を解決するために、請求項１の発明は、
提示情報の生成手段が、刻々と変化する時刻情報を特定の情報と関連付けた情報を少なくとも含む提示用情報を生成する生成工程と、
提示手段が、前記生成工程で生成された前記提示用情報を、利用者が取得可能とする取得可能提示情報に変更して提示する提示工程と、
取得手段が、前記提示工程で提示された前記取得可能提示情報を取得し、取得した取得可能提示情報から前記提示用情報を得る取得工程と、
判別手段が、前記取得工程で取得した前記提示用情報から前記特定の情報と関連付けられた前記時刻情報を得て、前記提示工程で前記提示用情報が提示された時刻を判別する判別工程と、
を有する情報処理方法を提供する。
【００１８】
上述の構成の請求項１の発明によれば、刻々と変化する時刻情報を特定の情報と関連付けた情報を少なくとも含む提示用情報が、例えばバーコードパターンなど、利用者が取得可能となる取得可能提示情報に変更されて提示される。
【００１９】
取得手段により、この取得可能提示情報が取得され、その取得された取得可能提示情報から提示用情報が取得される。そして、取得された提示用情報から特定の情報と関連付けられた時刻情報を得て、提示用情報が提示された時刻を判別する。特定の情報との関連付けを確認することで、判別された時刻情報が生成手段で生成されたものであることが認証される。
【００２０】
これにより、提示用情報が提示された時刻を、誤りなく判別することができる。
【００２１】
また、請求項２の発明は、請求項１に記載の情報処理方法において、
前記生成手段は、前記生成工程で、前記提示用情報に、前記時刻情報に加えて、前記提示工程で前記提示用情報が提示される場所の情報を含め、
前記判別手段は、前記判別工程において、前記時刻に加えて前記提示用情報が提示された場所を判別する
ことを特徴とする。
【００２２】
この請求項２の発明によれば、提示用情報が提示された時刻に加えて、提示用情報が提示された場所が判別される。これにより、提示用情報が、いつ、どこで提示あるいは取得されたかを、誤りなく判別することができる。
【発明の効果】
【００２３】
この発明によれば、提示用情報が提示された時刻を誤りなく判別することができる。また、提示用情報が提示された時刻に加えて、提示用情報が提示された場所を、誤りなく判別することができる。
【発明を実施するための最良の形態】
【００２４】
以下、この発明による情報処理方法および情報処理システムの実施の形態を、図を参照しながら説明する。
【００２５】
［第１の実施形態］
図１は、この発明による情報処理システムの第１の実施形態の構成例を示すブロック図である。この実施形態の情報処理システムは、以下のようなインターラクティブ（対話形式）の広告提供システムの場合の例である。
【００２６】
すなわち、この実施形態の情報処理システムにおいては、複数の場所において、時間毎に異なる広告情報をディスプレイの表示画面に表示して提供するようにする。そして、この実施形態の情報処理システムでは、表示する広告情報には、刻々と変わる時刻の情報（時刻情報）と、場所の情報と、所定のＵＲＬとを含むコード情報から生成されたバーコードパターンを重畳表示するようにする。
【００２７】
そして、広告情報を見たユーザは、表示された広告情報に関連する情報の取得をしたい場合には、ディスプレイの表示画面に表示されたバーコードパターンを携帯電話端末のカメラで撮影して、取り込む。すると、携帯電話端末の画面には、ＵＲＬが表示されるので、このＵＲＬを用いて広告提供側にアクセスする。
【００２８】
広告提供側は、ユーザ側からのアクセス時の情報から、広告情報が提示された時刻および場所を判別する。そして、広告提供側は、判別された提示時刻および提供場所から対応する広告情報を特定し、特定された広告情報に応じた関連情報を、アクセスしてきたユーザの携帯電話端末に送るようにする。
【００２９】
以上のような処理動作を実現するため、この実施形態の情報処理システムは、広告提供側構成部と、この広告提供側からの広告情報の提供を受けて広告提供側にアクセスする広告利用者側構成部とからなる。そして、この実施形態の情報処理システムの広告提供側構成部は、広告サーバ１と、複数の広告装置２１，２２，・・・，２ｎと、ウエブサーバ３とからなる。また、広告利用者側構成部は、この実施形態では、撮像手段としてのカメラを搭載する携帯電話端末４からなる。携帯電話端末４は、この発明における取得手段および転送手段の機能を備えるものである。
【００３０】
そして、広告利用者側構成部の携帯電話端末４からの広告提供側構成部のウエブサーバ３へのアクセスは、無線基地局５およびインターネット６を通じてなされる。
【００３１】
広告サーバ１には、この実施形態では、それぞれ別個の場所に設置されている複数個の広告装置２１，２２，・・・，２ｎが接続されている。この実施形態では、複数個の広告装置２１，２２，・・・，２ｎのそれぞれと、広告サーバ１とは、ＬＡＮ（Ｌｏｃａｌ  Ａｒｅａ  Ｎｅｔｗｏｒｋ）７を通じて接続されている。
【００３２】
また、広告サーバ１は、ウエブサーバ３にも接続されている。ウエブサーバ３は、インターネット６に接続されている。ウエブサーバ３は、この実施形態では、この発明における判別手段の機能を備えており、例えばパーソナルコンピュータで構成される。
【００３３】
広告サーバ１は、この発明における提示用情報の生成手段の機能と、提示手段の一部の機能を備える。広告サーバ１の提示手段の一部の機能は、生成手段で生成した提示用情報を取得可能提示情報に変換する機能である。この例では、取得可能提示情報は、表示画像情報である。
【００３４】
提示手段の残りの機能、すなわち、取得可能提示情報を実際的に提示する機能は、複数の広告装置２１，２２，・・・，２ｎのそれぞれが担っている。複数の広告装置２１，２２，・・・，２ｎのそれぞれは、取得可能提示情報を実際的に提示する機能を実行するための手段の例として、この実施形態では、ディスプレイを備えている。
【００３５】
この実施形態では、広告サーバ１が生成する提示用情報は、静止画または動画の広告画像の一部にバーコードパターン画像を備える表示画像情報である。
【００３６】
広告サーバ１は、予め複数個の広告画像の情報を記憶しており、提示時刻に応じて、当該複数個の広告画像の中から提示する広告画像の情報を選択するようにする。広告サーバ１は、また、提供場所、この例では、複数の広告装置２１，２２，・・・，２ｎのうちのいずれの広告装置で提示用情報を提示するのかに応じても、複数個の広告画像の中から提示する広告画像の情報を選択するようにする。
【００３７】
広告画像の一部にバーコードパターンとして表示する情報（コード情報）は、この実施形態では、ウエブサーバ６のＵＲＬと、時々刻々と変化する時刻の情報（時刻情報ＴＭ）と、広告情報の提示場所を示す情報（位置情報ＰＳ）を含む。広告情報の提示場所の位置情報ＰＳとしては、この実施形態では、複数の広告装置２１，２２，・・・，２ｎのそれぞれの装置識別情報（装置ＩＤという）が用いられる。装置ＩＤとしては、この例では、簡単のため、それぞれの広告装置に付与された番号（広告装置番号）が用いられる。
【００３８】
この実施形態では、広告サーバ１は、自己のみが知る特定の情報を暗号キーとして、時刻情報ＴＭを暗号化して、前記ＵＲＬの後に付加情報として続けるようにする。なお、位置情報ＰＳは、時刻情報ＴＭと共に暗号化しても良いし、あるいは、暗号化せずに、ＵＲＬの後に付加情報として含めるようにしてもよい。
【００３９】
また、この実施形態では、広告サーバ１は、どの時刻（時刻情報ＴＭ）に、どの広告情報（広告ＩＤ）を、どの広告装置（位置情報ＰＳ）に提示するかを示す広告提示スケジュール情報を備えており、そのスケジュール通りに広告情報の提示をするようにする。
【００４０】
そして、この実施形態では、ウエブサーバ３も、この広告サーバ１の広告提示スケジュール情報と同じ情報を、保持するようにする。ウエブサーバ３にも渡しておくようにする。すなわち、この実施形態では、ウエブサーバ３は、サーバ装置１から、どの時刻に、どの広告情報が、どの位置、つまりこの例ではどの広告装置で提示されるかの管理テーブル情報を備えるものである。
【００４１】
ウエブサーバ３は、この管理テーブル情報を参照することで、時刻情報ＴＭと位置情報ＰＳを得れば、対応する広告ＩＤを特定することができる。そして、ウエブサーバ３は、特定した広告ＩＤの広告情報に関連する情報を特定することができる。
【００４２】
なお、広告提示スケジュール情報は、ウエブサーバ３から広告サーバ１に渡しても良いし、その逆であっても良い。また、両サーバに、オペレータが、同じ広告提示スケジュール情報を記憶させるようにしてもよい。
【００４３】
なお、広告サーバ１および／またはウエブサーバ３は、広告装置の装置ＩＤと、実際に広告装置が設置された場所名との位置対応テーブルを保持するようにしても勿論良い。その場合には、当該位置対応テーブルを参照することで、各広告装置の実際の設置場所に対応した提示情報管理が可能となる。
【００４４】
広告装置２１，２２，・・・，２ｎのそれぞれのディスプレイの表示画面においては、広告サーバ１から提供されるバーコードパターンが一部に表示されている広告画像情報が表示される。
【００４５】
携帯電話端末４を有するユーザは、広告装置２１，２２，・・・，２ｎのいずれかのディスプレイに表示されている広告画像情報を見て、関連する情報を希望する場合には、例えば当該広告画像情報に表示されている説明メッセージにしたがって、携帯電話端末４のカメラ機能を用いてバーコードパターンを撮影する。
【００４６】
すると、携帯電話端末４では、従来と同様にして、自端末が備えるディスプレイ画面に、バーコードパターンからデコードしたＵＲＬを表示する。この例においては、バーコードパターンには、ウエブサーバ３のＵＲＬの他、時刻情報および位置情報が含まれている。したがって、バーコードパターンからデコードされたＵＲＬには、ウエブサーバ３のＵＲＬの後に、時刻情報および位置情報が続くものとなっているが、それもＵＲＬと見なされて表示される。
【００４７】
しかし、時刻情報および位置情報は、前述したように特定の情報を暗号キーとして暗号化されているので、時刻や場所の情報を、当該ＵＲＬから直接的にユーザが把握することはできない。
【００４８】
ユーザが、このＵＲＬを用いてアクセスを実行すると、携帯電話端末４は、当該時刻情報および位置情報を付加情報として含んだＵＲＬにより、ウエブサーバ３に対するアクセスを実行する。このアクセス時、携帯電話端末４自身のＵＲＬなどのアドレス情報が、発信元アドレス情報として、アクセス情報に付加されているのは通常のアクセスと同様である。
【００４９】
アクセス情報に含まれるウエブサーバ３のＵＲＬにより、ウエブサーバ３は、携帯電話端末４からのこのアクセスを受け付ける。そして、周知のように、ウエブサーバ３は、自装置宛のＵＲＬに続く情報は、付加情報として、その解析を行なう。この実施形態では、ウエブサーバ３のＵＲＬには、暗号化された時刻情報ＴＭおよび位置情報ＰＳが含まれるので、ウエブサーバ３は、当該暗号化されている時刻情報ＴＭおよび位置情報ＰＳのデコード処理を行い、時刻情報ＴＭおよび位置情報ＰＳを取得する。
【００５０】
この場合、予め、広告サーバ１からは、前述した特定の情報からなる暗号キーの情報がウエブサーバ３に送られている。ウエブサーバ３は、広告サーバ１から受け取った暗号キーを保持しておく。そして、ウエブサーバ３は、携帯電話端末４からのアクセス情報に含まれる時刻情報ＴＭおよび位置情報ＰＳについての暗号の復号を、保持している暗号キーを用いて実行する。この結果、時刻情報ＴＭおよび位置情報ＰＳがウエブサーバ３において取得される。
【００５１】
こうして、ウエブサーバ３は、ユーザが広告装置２１〜２ｎのいずれかにおいて取得したバーコードが、いつ（提示時刻）、どこで（提示場所、この例では、どの広告装置で）提示されたかを判別する。
【００５２】
そして、ウエブサーバ３は、判別した時刻および位置により、広告提示スケジュール情報を参照することで、当該判別した時刻および位置で提示されていた広告情報を特定する。そして、特定した広告情報に対応する関連する情報、例えば関連するウエブページを特定し、当該ウエブページの情報を、アクセスしてきた携帯電話端末４に送るようにする。このウエブページの情報は、例えば、広告情報により提示した商品の詳細情報や関連商品の情報などをユーザに提供する。
【００５３】
したがって、携帯電話端末４のユーザは、取得したバーコードから取得した情報を用いてウエブサーバ３にアクセスすることにより、当該バーコードを取得した時刻および場所で提示されていた広告に関連する情報の取得ができる。
【００５４】
［広告サーバ１のハードウエア構成例］
図２は、この実施形態の情報処理システムにおける広告サーバ１のハードウエア構成例を示すブロック図である。
【００５５】
この図２に示すように、広告サーバ１は、制御部１０に対して、通信インターフェース１１、ＬＡＮインターフェース１２、記憶部１３、時計回路１４、バーコード生成部１５、送出情報生成部１６、広告提示スケジュール情報記憶部１７が接続されて構成されている。
【００５６】
制御部１０は、コンピュータを備えて構成され、広告サーバ１における処理制御動作を実行する。制御部１０のコンピュータには、その処理制御動作のためのプログラムが記憶されている。
【００５７】
通信インターフェース１１は、ウエブサーバ３に接続され、広告サーバ１とウエブサーバ３との間で通信を行なって、必要なデータの授受を行うために用いられる。
【００５８】
ＬＡＮインターフェース１２は、複数個の広告装置２１〜２ｎが接続されるＬＡＮ７に接続される。サーバ装置１は、このＬＡＮインターフェース１２を通じて、広告装置２１〜２ｎのそれぞれに、バーコード付きの広告表示画像情報を送る。
【００５９】
記憶部１３は、提示用情報としての広告情報を記憶すると共に、ウエブサーバ３のＵＲＬと、広告装置２１〜２ｎのそれぞれの識別情報の例としての広告装置番号を記憶する。広告情報は、それぞれを識別する広告ＩＤ（Ｉｄｅｎｔｉｆｉｃａｔｉｏｎ）と対応して記憶されている。また、この例では、広告装置番号は、対応する広告装置が設置されている場所名など、場所を特定する情報と対応付けられて記憶されている。
【００６０】
広告情報は、ウエブサーバ３経由で、インターネットを通じて取得して、記憶部１３に、広告ＩＤと対応付けて記憶することができる。また、記憶部１３は、光ディスクなどのリムーバルメディアなどのメディアドライブを含んで構成されていてもよい。
【００６１】
時計回路１４は、年月日、時分秒からなる現在時刻情報を発生する。この時計回路１４の時刻情報は、例えばウエブサーバ３経由で、時刻の校正情報を、所定の時間間隔で受け取って、常に正しい時刻となるように構成されている。あるいは、時計回路１４は、いわゆる電波時計の構成として、自律的に時刻を校正できるように構成することもできる。
【００６２】
この実施形態では、この時計回路１４からの時刻情報を用いることで、複数個の広告装置に対して一元管理された時刻情報を提供するようにしている。
【００６３】
バーコード生成部１５は、この実施形態では、制御部１０からの制御指示に基づいて、記憶部１３からウエブサーバ３のＵＲＬおよび広告装置番号を取得すると共に、時計回路１４から現在時刻情報を受け取る。そして、バーコード生成部１５は、それら現在時刻情報および広告装置番号を含めた２次元バーコードパターン（以下、単にバーコードパターンという）の表示画像情報を生成する。
【００６４】
この場合において、バーコード生成部１５は、前述したように、自己が備える特定の情報を暗号キーとして、現在時刻情報を暗号化処理する。そして、この実施形態では、ウエブサーバ３のＵＲＬ、広告装置の装置ＩＤとしての広告装置番号、暗号化された現在時刻情報の順として、バーコードパターンを生成する基となるコード情報を提示用情報として生成する。そして、バーコード生成部１５は、生成したコード情報から取得可能提示情報としてのバーコードパターンの表示画像情報を生成する。
【００６５】
バーコード生成部１５は、制御部１０の制御により、以上のバーコード生成処理を、広告装置２１〜２ｎのそれぞれについて実行する。また、バーコード生成部１５は、制御部１０の制御により、この実施形態では、現在時刻が１秒経過する毎に、上述した広告装置２１〜２ｎのそれぞれについてのバーコードパターンの表示画像情報の生成処理を実行する。
【００６６】
なお、例えば、バーコードパターンを撮像して取り込んだ時刻で、広告に対するアクセスの先後を決定するような場合を考慮したときには、バーコードパターンの表示画像情報の生成処理は、１秒毎ではなく、１／１００秒毎など、より短い時間間隔で行った方がよい。
【００６７】
また、暗号化処理は、現在時刻情報（時刻情報ＴＭ）のみではなく、広告装置の装置ＩＤ（位置情報ＰＳ）をも含めて行っても良い。ただし、広告装置の装置ＩＤを暗号化しない場合には、装置ＩＤ毎に異なる暗号キーを用いて現在時刻情報を暗号化するようにすることができる。
【００６８】
送出情報生成部１６は、制御部１０の制御に従い、記憶部１３から、送出先の広告装置に提示する広告情報を読み出す。また、送出情報生成部１６は、バーコード生成部１５で生成されたバーコードパターンの表示画像情報を受け取る。そして、送出情報生成部１６は、記憶部１３から読み出した広告情報から表示画像情報を生成すると共に、バーコード生成部１５で生成されたバーコードパターンの表示画像情報と、広告情報から生成した表示画像情報とを合成して、広告画像の一部にバーコードパターンが表示される広告表示画像情報を生成する。
【００６９】
送出情報生成部１６で生成された広告表示画像情報は、制御部１０の制御にしたがって、送出の宛先である広告装置に、ＬＡＮインターフェース１２およびＬＡＮ７を通じて送られる。
【００７０】
前述したように、この実施形態では、広告提示スケジュール情報記憶部１７には、予め、どの広告装置に、いずれの広告情報を、どの時間帯で送信するかの広告送信スケジュールが記憶されている。この広告提示スケジュール情報は、どの広告装置に、いずれの広告情報を、どの時間帯で送信したかを示す情報を、対応テーブルの形式としたものである。制御部１０は、この広告送信スケジュール情報に従って、記憶部１３、バーコード生成部１５および送出情報生成部１６を制御する。
【００７１】
なお、バーコード生成部１５と、送出情報生成部１６とは、ハードウエア構成とすることもできるが、制御部１０が備えるコンピュータによるソフトウエア処理として構成することもできる。
【００７２】
［広告サーバ１における処理動作例］
図４は、この実施形態における広告サーバ１での広告情報を広告装置に送る処理動作例を説明するためのフローチャートである。
【００７３】
先ず、制御部１０は、広告提示スケジュール情報記憶部１７の広告提示スケジュール情報にしたがって、広告提示スケジュール情報で指定される広告ＩＤの提示すべき広告情報を、記憶部１３から読み出す（ステップＳ１０１）。制御部１０は、読み出した広告情報は、送出情報生成部１６に送る。
【００７４】
また、制御部１０は、広告提示スケジュール情報記憶部１７の広告提示スケジュール情報にしたがって、広告を提示する広告装置の広告装置番号を記憶部１３から読み出すとともに、ウエブサーバ３のＵＲＬを記憶部１３から読み出して、バーコード生成部１５に送る。さらに、制御部１０は、時計回路１４から現在時刻の情報を受け取り、それをバーコード生成部１５に送る。バーコード生成部１５は、受け取ったＵＲＬ、広告装置番号、および現在時刻情報を含むコード情報から、バーコードパターンを生成する（ステップＳ１０２）。このステップＳ１０２のバーコードパターンの生成処理については、後でさらに詳述する。
【００７５】
制御部１０は、バーコード生成部１５で生成されたバーコードパターンを送出情報生成部１６に送る。送出情報生成部１６は、受け取った広告情報と、バーコードパターンとから、バーコードパターンを一部に表示する広告表示画像情報を生成する（ステップＳ１０４）。
【００７６】
以上のステップＳ１０１〜ステップＳ１０３の処理は、広告装置２１〜２ｎのそれぞれについて実行される。制御部１０は、広告装置２１〜２ｎのそれぞれについて生成されたバーコードパターンを一部に表示する広告表示画像情報を、それぞれの広告装置宛に、ＬＡＮ７を通じて送信する（ステップＳ１０４）。
【００７７】
次に、制御部１０は、時計回路１４の現在時刻情報を監視して、この例では、１秒経過したか否か判別する（ステップＳ１０５）。このステップＳ１０５で監視する経過時刻は、バーコードパターンに含めて提示する時刻情報の精度に応じたものとされ、時刻の先後を問題とする場合には、１／１０秒や、１／１００秒などとしてもよい。また、時刻の先後を問題にせず、特定の期間内の時刻かどうかを判別するために用いるものであれば、１秒以上の時間であっても良い。
【００７８】
ステップＳ１０５で、１秒以上が経過したと判別したときには、制御部１０は、時計回路１４からの現在時刻情報をバーコード生成部１５に渡す。バーコード生成部１５は、バーコードパターンに含める時刻情報を、受け取った現在時刻情報に変更したバーコードパターンを、各広告装置のそれぞれについて生成する（ステップＳ１０６）。
【００７９】
ステップＳ１０６で生成されたバーコードパターンは、制御部１０により送出情報生成部１６に送られる。送出情報生成部１６は、各広告装置に供給する広告表示画像情報に合成または重畳するバーコードパターンを、新たに受け取ったそれぞれの広告装置用のバーコードパターンに変更する。制御部１０は、バーコードパターンが更新されたそれぞれの広告装置用の広告表示画像情報を、ＬＡＮ７を通じて、それぞれの広告装置に送る（ステップＳ１０７）。
【００８０】
次に、制御部１０は、時計回路１４の現在時刻と、広告スケーリング情報記憶部１７の広告スケジュール情報とを参照して、提示する広告情報の変更時刻になったか否か判別する（ステップＳ１０８）。
【００８１】
ステップＳ１０８で、提示する広告情報の変更時刻にはなっていないと判別したときには、制御部１０は、ステップＳ１０５に戻り、ステップＳ１０６およびステップＳ１０７における１秒毎のバーコードパターンの更新処理を繰り返す。
【００８２】
また、ステップＳ１０８で、提示する広告情報の変更時刻にはなったと判別したときには、制御部１０は、ステップＳ１０１に戻り、広告提示スケジュール情報に従った、上述したステップＳ１０１以降の処理を繰り返す。
【００８３】
次に、ステップＳ１０２におけるバーコードパターンの生成処理の詳細例を図５のフローチャートに示す。
【００８４】
すなわち、制御部１０は、時計回路１４から現在時刻の情報を取得し、それをバーコード生成部１５に送る（ステップＳ１１１）。
【００８５】
次に、制御部１０は、広告提示スケジュール情報記憶部１７の広告提示スケジュール情報に従って、広告を提示する広告装置の広告装置番号を記憶部１３から読み出すと共に、ウエブサーバ３のＵＲＬを記憶部１３から読み出して、バーコード生成部１５に送る（ステップＳ１１２）。
【００８６】
バーコード生成部１５は、取得したＵＲＬに、暗号化した現在時刻情報と、広告装置番号とを付加したコード情報を生成する（ステップＳ１１３）。このコード情報は、提示用情報に相当する。
【００８７】
次に、バーコード生成部１５は、生成したコード情報からバーコードパターンを生成する（ステップＳ１１４）。そして、バーコード生成部１５は、全ての広告装置についてのバーコードパターンの生成を終了したか否か判別する（ステップＳ１１５）。
【００８８】
ステップＳ１１５で、終了していないと判別したときには、次の広告装置用のバーコードパターンの生成処理を開始すると判断して、ステップＳ１１２に戻り、このステップＳ１１２以降の処理を繰り返す。
【００８９】
ステップＳ１１５で、全ての広告装置についてのバーコードパターンの生成を終了したと判断したときは、バーコード生成部１５は、制御部１０にその旨を通知する（ステップＳ１１６）。この通知を受けて、制御部１０は、この処理ルーチンを終了する。
【００９０】
なお、この図５のフローチャートの処理リーチンは、制御部１０がバーコード生成部１５の処理機能をソフトウエアプログラム処理とした場合におけるソフトウエア処理動作に相当する。
【００９１】
上述した図５の例においては、複数個の広告装置２１〜２ｎの全てについて、送出する広告情報を変更するタイミングは同一とした。しかし、広告装置のそれぞれ毎に、送出する広告情報を変更するタイミングを異ならせるようにしても、勿論よい。
【００９２】
［広告装置２１〜２ｎのハードウエア構成例および処理動作］
この実施形態における広告装置２１〜２ｎのハードウエア構成例を、図３に示す。広告装置２１〜２ｎは、全て同じ構成を備えるものであるので、図３では、広告装置２１〜２ｎのうちの１つの広告装置２１の構成例のブロック図を示している。
【００９３】
この例では、広告装置は、制御部２００と、ＬＡＮインターフェース２０１と、例えばＬＣＤ（Ｌｉｑｕｉｄ  Ｃｒｙｓｔａｌ  Ｄｉｓｐｌａｙ）からなるディスプレイ２０２とで構成される。
【００９４】
ＬＡＮインターフェース２０１は、ＬＡＮ７に接続されており、広告サーバ１から送られてくる広告表示画像情報を取得して、制御部２００に送る。制御部２００は、ＬＡＮインターフェース２０１を通じて取得した情報のうち、自装置宛の広告表示画像情報のみを取り込み、ディスプレイ２０２に送って、その表示画面に表示するようにする。
【００９５】
図６は、広告装置２１〜２ｎのそれぞれで実行される処理動作例を示すフローチャートである。
【００９６】
すなわち、この例の広告装置２１〜２ｎのそれぞれの制御部２００は、ＬＡＮインターフェース２０１を通じて取り込まれた広告表示画像情報を監視して、当該広告表示画像が自装置宛のものであるか否か判別する（ステップＳ２０１）。ステップＳ２０１で、自装置宛ての広告表示画像情報ではないと判別したときには、取り込んだ情報は廃棄して、このステップＳ２０１を繰り返す。
【００９７】
ステップＳ２０１で、取り込まれた広告表示画像情報が自装置宛ての広告表示画像情報であると判別したときには、制御部２００は、取り込んだ広告表示画像情報をディスプレイ２０２に送ってその表示画面に表示させる（ステップＳ２０２）。そして、制御部２００は、ステップＳ２０１に戻り、このステップＳ２０１およびステップＳ２０２の処理を繰り返す。
【００９８】
図７に示すように、この広告装置での処理動作の結果、ディスプレイ２０２の表示画面２０２Ｄには、当該表示画面２０２Ｄの一部に２次元バーコードパターン２０３が表示される広告画像が表示される。
【００９９】
図７に示すように、この実施形態では、この２次元バーコードパターン２０３は、携帯電話端末４が搭載するカメラにより撮影されることにより、携帯電話端末４に取得される。このとき、２次元バーコードパターン２０３に含まれる時刻情報は、携帯電話端末４で撮影されたときの時刻となっており、２次元バーコードパターン２０３の提示時刻が、携帯電話端末４でのバーコードパターンの取得時刻となる。
【０１００】
この携帯電話端末４のバーコードパターンの取得時刻は、後述するように、当該バーコードパターンから取得されたＵＲＬ情報を用いて、携帯電話端末４がウエブサーバ３にアクセスすることで、ウエブサーバ３で判別されるものである。
【０１０１】
［携帯電話端末４のハードウエア構成例］
この実施の形態の携帯電話端末４は、マイクロコンピュータを制御部として備えて構成される。図８は、この実施の形態の携帯電話端末２のハードウエア構成例を示すブロック図である。
【０１０２】
すなわち、この実施の形態の携帯電話端末４は、ＣＰＵ（Ｃｅｎｔｒａｌ  Ｐｒｏｃｅｓｓｉｎｇ  Ｕｎｉｔ）４０１に対して、システムバス４００を介してプログラムが格納されているＲＯＭ（Ｒｅａｄ  Ｏｎｌｙ  Ｍｅｍｏｒｙ）４０２と、ワークエリア用のＲＡＭ（Ｒａｎｄｏｍ  Ａｃｃｅｓｓ  Ｍｅｍｏｒｙ）４０３とが接続される。
【０１０３】
また、システムバス４００には、操作部インターフェース４０４を通じて操作部４０５が接続されている。また、システムバス４００には、ＬＣＤインターフェース４０６を通じて表示素子としてのＬＣＤ４０７が接続されている。さらに、システムバス４００には、カメラ部インターフェース４０８を通じて撮像手段の例としてのカメラ部４０９が接続されている。
【０１０４】
また、さらに、システムバス４００には、記憶部４１０と、バーコードデコード部４１１と、時計回路４１２と、通信回路４１３と、Ａ／Ｄコンバータ４１４と、Ｄ／Ａコンバータ４１５とが接続されている。
【０１０５】
通信回路４１３は、電話通信を行なうためのもので、送受信アンテナ４１３Ａが接続されている。通信回路４１３は、携帯電話の基地局を介して、制御情報や、相手方との通話音声のやり取りを行なう。
【０１０６】
Ａ／Ｄコンバータ４１４には、送話用のマイクロホン４１６が接続される。マイクロホン４１６で収音された送話音声のアナログ信号は、Ａ／Ｄコンバータ４１４でデジタル信号に変換され、システムバス４００を通じて通信回路４１３に供給され、相手方に送られる。
【０１０７】
また、Ｄ／Ａコンバータ４１５にはスピーカ４１７が接続される。通信回路４１３を通じて受信した受話音声のデジタル信号は、このＤ／Ａコンバータ４１５でアナログ信号に変換され、スピーカ４１７に供給されて、音響再生される。
【０１０８】
バーコードデコード部４１１は、ＣＰＵ４０１が、ＲＯＭ４０２に格納されているプログラムによるソフトウエア処理機能として構成することもできる。
【０１０９】
操作部４０５は、電話番号入力を行うテンキー、カメラ部４０９用のシャッターキー、カーソルキー、決定キー、その他のキーからなるキー操作部である。操作部４０５で、いずれかのキー操作がなされると、ＣＰＵ４０１は、操作部インターフェース４０４を通じた操作部４０５からの操作されたキーに応じた操作信号を受けて、操作されたキーが何であるかを判別し、その判別結果に応じた処理を実行する。
【０１１０】
カメラ部４０９は、操作部４０５で、ユーザにより所定のキー操作がなされたときに、ＣＰＵ４０１の制御を受けて、被写体の撮像画像をカメラ部インターフェース４０８を通じてシステムバス４００に供給する。
【０１１１】
この実施の形態の携帯電話端末４は、通常のカメラモードのほかに、バーコード読み取りモードを備える。通常のカメラモードにおいては、ＣＰＵ４０１は、ユーザによりシャッターキーが操作されたときの被写体の撮像画像を、カメラ部４０９から取り込むように制御する。
【０１１２】
これに対してバーコード読み取りモードにおいては、例えば決定キーなどの押下による読み取り開始操作がなされると、ＣＰＵ４０１は、カメラ部４０９から、２次元バーコード画像を取り込む制御処理を実行する。
【０１１３】
バーコードデコード部４１１は、カメラ部４０９で撮像して取り込んだ２次元バーコード画像から、コード情報をデコードし、内蔵するバッファメモリに保持する。バッファメモリに保持されたデコード結果のコード情報は、必要に応じてＣＰＵ４０１の制御に従い、表示データに変換され、ディスプレイ４０７に表示される。
【０１１４】
時計回路４１２は、年、月、日、時、分、秒の現在時刻を表わす時刻情報を生成し、生成した時刻情報を制御部４０１に供給する。制御部４０１は、携帯電話端末４の待ち受け画面において、この時計回路４１２からの時刻情報に基づく現在時刻を、ＬＣＤ４０７の表示画面に表示する。
【０１１５】
［携帯電話端末２でのバーコード読み取りモードでの処理動作例］
図９に、バーコード読み取りモードにおける携帯電話端末４での処理動作例のフローチャートを示す。この図９のフローチャートの各ステップの処理は、ＣＰＵ４０１が、ＲＯＭ４０２に記憶されているバーコード読み取りモードのプログラムにしたがって、ＲＡＭ４０３をワークエリアとして用いながら実行するものである。
【０１１６】
ユーザが、携帯電話端末４の機能メニューからバーコード読み取りモードを選択すると、図９のスタートからバーコード読み取りモードが開始となる。
【０１１７】
先ず、ＣＰＵ４０１は、カメラ部４０９をバーコード読み取りモードで起動する（ステップＳ３０１）。これにより、カメラ部４０９からの撮像画像がカメラ部インターフェース４０８を通じてシステムバス４００に取り込まれ、ＬＣＤ４０７の画面に取り込まれた２次元バーコードパターン画像が表示される。
【０１１８】
ユーザは、携帯電話端末４のＬＣＤ４０７の表示画面を見て、広告装置のディスプレイ２０２の表示画面２０２Ｄに表示されている２次元バーコードパターン画像２０３が、ＬＣＤ４０７の表示画面の中央に表示されるように携帯電話端末４の位置を調整する。
【０１１９】
次に、ＣＰＵ４０１は、ユーザによる例えば決定キーの操作によるバーコード読み取り開始指示を待つ（ステップＳ３０２）。
【０１２０】
そして、ステップＳ３０２で、バーコード読み取り開始指示があったと判別したときには、ＣＰＵ４０１は、２次元バーコードパターン画像の撮像画像を取り込んで、バーコードデコード部２１１でデコードする（ステップＳ３０３）。このステップＳ３０３での処理には、２次元バーコードパターンからコード情報をデコードできたかどうかを確認する処理を含む。そして、その確認の結果、コード情報がデコードできなかったときには、カメラ部４０９からの撮像画像を、２次元バーコードパターンについてデコードできるまで取り込むようにする処理を、このステップＳ３０３における処理には含むものである。
【０１２１】
ステップＳ３０３で、２次元バーコードパターンからコード情報をデコードできたときには、ＣＰＵ４０１は、読み取ったコード情報、すなわち、この例では、ＵＲＬの情報をＬＣＤ４０７の画面に表示する（ステップＳ３０４）。
【０１２２】
ここで、携帯電話端末４では、ウエブサーバ３のＵＲＬのみではなく、このウエブサーバ３のＵＲＬに続く、暗号化されている時刻情報および広告装置番号をも含んで、ＵＲＬの情報として読み取る。したがって、このときＬＣＤ４０７の画面に表示されるＵＲＬの情報としては、ウエブサーバ３のＵＲＬのみではなく、当該ウエブサーバ３のＵＲＬに引き続いて、暗号化されている時刻情報および広告装置番号が表示されるものとなる。
【０１２３】
次に、ＣＰＵ４０１は、バーコード読み取りモードの終了操作がなされたか否か判別し（ステップＳ３０５）、終了操作がなされたと判別したときには、この処理ルーチンを終了する。
【０１２４】
ステップＳ３０５で、バーコード読み取りモードの終了操作はなされていないと判別したときには、ＣＰＵ４０１は、読み取ったコード情報の保存操作がなされたか否か判別する（ステップＳ３０６）。
【０１２５】
このステップＳ３０６で、読み取ったコード情報の保存操作がなされたと判別したときには、ＣＰＵ４０１は、読み取ったコード情報を記憶部２１０に記憶保存する（ステップＳ３０７）。
【０１２６】
また、ステップＳ３０６で、読み取ったコード情報の保存操作がなされていないと判別したときには、ＣＰＵ４０１は、ＬＣＤ４０７の画面に表示されているＵＲＬの情報を用いたアクセス開始指示があるか否か判別する（ステップＳ３０８）。ステップＳ３０７で、読み取ったコード情報を記憶部２１０に記憶保存した後にも、このステップＳ３０８に進み、ＬＣＤ４０７の画面に表示されているＵＲＬの情報を用いたアクセス開始指示があるか否か判別する。
【０１２７】
このステップＳ３０８で、ＬＣＤ４０７の画面に表示されているＵＲＬの情報を用いたアクセス開始指示がないと判別したときには、ＣＰＵ４０１は、ステップＳ３０５に戻り、このステップＳ３０５以降の処理を繰り返す。
【０１２８】
また、このステップＳ３０８で、ＬＣＤ４０７の画面に表示されているＵＲＬの情報を用いたアクセス開始指示があったと判別したときには、ＣＰＵ４０１は、当該ＵＲＬの情報を用いたアクセスを実行する（ステップＳ３０９）。
【０１２９】
このアクセスの際には、アクセス先のＵＲＬとしては、表示されていたＵＲＬの情報がそのまま用いられて、アクセス先に送られる。このとき表示されていたＵＲＬの情報には、ウエブサーバ３のＵＲＬが含まれているので、当該ウエブサーバ３に対してアクセスが実行される。なお、アクセス情報には、自携帯電話端末を識別する情報が含まれているのは言うまでもない。
【０１３０】
この携帯電話端末４からのアクセスに対しては、ウエブサーバ３では、アクセス時のＵＲＬの情報に含まれる時刻情報および広告装置番号（位置情報）に対応するウエブページの情報が送られてくる。そこで、携帯電話端末４のＣＰＵ４０１は、このウエブ情報を取得して、ＬＣＤ４０７の画面に表示する（ステップＳ３１０）。
【０１３１】
次に、ＣＰＵ４０１は、アクセスを終了する操作があったか否か判別し（ステップＳ３１１）、アクセスを終了する操作がなかったと判別したときには、ステップＳ３１０に戻り、ウエブ情報の取得、およびそのＬＣＤ４０７の画面への表示を継続する。
【０１３２】
また、ステップＳ３１１で、アクセスを終了する操作があったと判別したときには、ＣＰＵ４０１は、この処理ルーチンを終了する。
【０１３３】
［ウエブサーバ３のハードウエア構成例］
図１０は、この実施形態におけるウエブサーバ３のハードウエア構成例を示すブロック図である。
【０１３４】
この図１０に示すように、ウエブサーバ３は、制御部３０に対して、通信インターフェース３１および３２、アクセス付加情報解析部３３、広告提示スケジュール情報記憶部３４、時刻情報および位置情報記憶部３５、広告関連情報記憶部３６が接続されて構成されている。
【０１３５】
制御部３０は、コンピュータを備えて構成され、ウエブサーバ３における処理制御動作を実行する。制御部３０のコンピュータには、その処理制御動作のためのプログラムが記憶されている。
【０１３６】
通信インターフェース３１は、インターネット６に接続されるもので、自ウエブサーバ３に対するアクセスを受けると共に、アクセスしてきた相手方に、インターネット７を通じてウエブ情報などを送信するために用いられる。
【０１３７】
通信インターフェース３２は、広告サーバ１に接続され、この広告サーバ１と自ウエブサーバ３との間で通信を行なって、必要なデータの授受を行うために用いられる。
【０１３８】
アクセス付加情報解析部３３は、自ウエブサーバ３宛てのアクセス情報に含まれるＵＲＬの情報に付加されている時刻情報および位置情報をデコードして取得するためのものである。
【０１３９】
すなわち、この実施形態では、自ウエブサーバ３宛てのアクセス情報には、当該ウエブサーバ３のＵＲＬに引き続いて暗号化された時刻情報と、位置情報とが付加されている。アクセス付加情報解析部３３は、この付加情報を解析して、暗号化されている時刻情報および位置情報を抽出すると共に、暗号化されている時刻情報を復号する。ウエブサーバ３は、暗号の復号のための暗号キーの情報は、通信インターフェース３２を通じて広告サーバ１から予め取得して保持している。
【０１４０】
なお、暗号化されている時刻情報をウエブサーバ３で復号するのではなく、ウエブサーバ３が、通信インターフェース３２経由で広告サーバ１に暗号化されている時刻情報の文字列を送り、広告サーバ１で復号してもらうように問い合わせるようにしてもよい。
【０１４１】
この場合には、広告サーバ１は、問い合わせを受けたウエブサーバ毎に暗号キーを管理しておくことで、ウエブサーバから受け取った暗号化されている時刻情報の文字列を復号する。そして、広告サーバ１は、復号した時刻情報の文字列を、問い合わせしてきたウエブサーバに返すようにする。このようにした場合には、ウエブサーバ３と広告サーバ１との間での暗号キーのやり取りが不要となり、よりセキュリティを高くすることができる。
【０１４２】
広告提示スケジュール情報記憶部３４には、この例では、広告サーバ１から取得した広告提示スケジュール情報が格納されている。前述したように、広告提示スケジュール情報は、どの広告装置に、いずれの広告情報を、どの時間帯で送信したかを示す情報を、対応テーブルの形式としたものである。
【０１４３】
時刻情報および位置情報記憶部３５には、アクセス付加情報解析部３３で取得された時刻情報および位置情報が、アクセスしてきた相手の識別情報と対応付けて記憶される。ウエブサーバ３には、広告情報を閲覧した複数のユーザが、その表示画面に表示されていた２次元バーコードパターンを用いてアクセスしてくることが予想される。そこで、それらアクセスしてきた複数のユーザについての時刻情報および位置情報がこの時刻情報および位置情報記憶部３５に記憶される。
【０１４４】
広告関連情報記憶部３６には、広告提示スケジュール情報記憶部３４に記憶されている広告ＩＤに関連するウエブページの情報（ウエブ情報）が記憶されている。例えば、広告関連情報記憶部３６には、広告装置の表示画面に表示された広告表示画像情報により提示されて商品の詳細説明情報や価格、関連商品の情報などが記憶されている。この広告関連情報記憶部３６に記憶されている情報は、当該ウエブサーバ３にアクセスしてきたユーザに提供される情報となる。
【０１４５】
なお、アクセス付加情報解析部３３の機能は、制御部３０を構成するコンピュータがプログラムに基づくソフトウエア処理として構成することもできる。
【０１４６】
［ウエブサーバ３の処理動作例］
図１１は、この実施形態におけるウエブサーバ３において、インターネット６を通じたアクセスを受けたときの処理動作例を説明するためのフローチャートである。
【０１４７】
先ず、制御部３０は、当該ウエブサーバ３宛てのアクセスがあったか否か監視する（ステップＳ４０１）。このステップＳ４０１で、当該ウエブサーバ３宛てのアクセスがあったと判別したときには、制御部３０は、アクセス時のＵＲＬに付加情報があるか否か判別する（ステップＳ４０２）。
【０１４８】
ステップＳ４０２で、ＵＲＬに付加情報が付加されていないと判別したときには、その場合に対応して、関連して提示すべきウエブページを判断し、そのウエブページの情報を、アクセスしてきたユーザに対して送信する（ステップＳ４０６）。そして、アクセスが接続されたか否か判別し、切断されたら、この処理ルーチンを終了する。
【０１４９】
また、ステップＳ４０２で、ＵＲＬに付加情報が付加されていると判別したときには、制御部３０は、その付加情報をアクセス付加情報解析部３３に送る。アクセス付加情報解析部３３は、受け取った付加情報を解析およびデコードする。そして、アクセス付加情報解析部３３は、暗号化されている時刻情報を復号して時刻情報を取得すると共に、広告装置番号を取得し、取得した時刻情報および広告装置番号を制御部３０に渡す（ステップＳ４０３）。
【０１５０】
アクセス付加情報解析部３３から時刻情報および位置情報としての広告装置番号を取得した制御部３０は、取得した時刻情報および位置情報としての広告装置番号を、時刻情報および位置情報記憶部３５に書き込み、保存する（ステップＳ４０４）。現時点ではなく、後にウエブサーバ３にアクセスする際に用いるためである。
【０１５１】
また、制御部３０は、取得した時刻情報および広告装置番号を検索子として、広告提示スケジュール情報記憶部３４を検索し、該当時刻に、該当場所（広告装置）で提示されていた広告情報の広告ＩＤを検出して把握する（ステップＳ４０５）。
【０１５２】
次に、制御部３０は、把握した広告ＩＤを検索子として、広告関連情報記憶部３６を検索し、当該広告ＩＤに関連する広告関連情報のウエブページを検出し、検出したウエブページの情報をアクセスしてきたユーザに送る（ステップＳ４０６）。そして、アクセスが接続されたか否か判別し、切断されたら、この処理ルーチンを終了する。
【０１５３】
以上のようにして、この実施形態によれば、広告表示画像情報と共に表示されるバーコードパターンには、ウエブサーバ３のＵＲＬに加えて、時々刻々と変化する現在時刻の情報（広告情報の提示時刻の情報）と、広告情報の提示場所の情報が含まれている。
【０１５４】
そして、上述したようにして、ウエブサーバ３は、アクセスを受けた時に、これらの広告情報の提示時刻の情報と、提示場所の情報とを取得することができる。そして、ウエブサーバ３では、上述のようにして、提示時刻および提示場所で提示されていた広告情報を特定することができ、その特定された広告情報に関連する情報をユーザに、さらに提示することができる。
【０１５５】
したがって、広告を時刻や場所に応じて変化させて提示した場合においても、それぞれの広告に対して的確な対応をすることができる。
【０１５６】
また、ウエブサーバ３では、上述のような広告関連情報の提供のみではなく、時刻情報および位置情報記憶部３５に記憶した時刻情報および位置情報を、その他種々のサービスや、広告情報の提供効率の向上に役立てることができる。
【０１５７】
例えば、広告表示画像情報により、「所定の広告提示期間の間に当該広告を見たユーザには、先着順にプレミア商品を提供する」と告知する。これを見たユーザは、広告表示画像に表示されているバーコードパターンを取り込み、それに基づいてウエブサーバ３にアクセスする。
【０１５８】
ウエブサーバ３では、アクセス情報に付加されている時刻情報をデコードして、ユーザが広告を見てバーコードパターンを携帯電話端末４で取得した時刻を検知する。そして、その時刻から、プレミア商品を配布する先着順のユーザを確定するようにすることができる。
【０１５９】
また、時刻情報および位置情報記憶部３５に記憶した複数の時刻情報および位置情報から、どの時刻に、どの場所で提示された広告に対してのアクセスが多かったか、あるいは少なかったを知ることができる。また、広告提示スケジュール情報記憶部３４に記憶されている広告提示スケジュール情報をさらに参照して、アクセスが多かった広告ＩＤの広告情報やアクセスが少なかった広告ＩＤの広告情報を把握したりすることもできる。
【０１６０】
これにより、より効率の良い広告をすることができるようにすることが可能となる。
【０１６１】
なお、上述の図１１のフローチャートでは、２次元バーコードパターンを取り込み、ＬＣＤ４０７の画面に表示されているＵＲＬ情報を用いてウエブサーバ３にアクセスする場合について示した。しかし、ステップＳ４０４で保存されたＵＲＬの情報を用いて、後の時点でウエブサーバ３に対してアクセスしてもよいことは勿論である。
【０１６２】
なお、上述の実施形態では、予め定めた広告提示スケジュールにしたがって、どの広告装置に、どの広告情報を、何時送出し、何時送出停止（広告情報の変更を含む）するかを制御したが、広告情報の提示方法は、これに限られるものではない。
【０１６３】
例えば、広告サーバ１の制御部１０に対して、オペレータの指示を受ける指示受付部を接続し、この指示受付部で受け付けたオペレータの指示に応じて、制御部１０が、いずれの広告情報を、どの広告装置に、何時送出し、何時送出停止（広告情報の変更を含む）するかを制御するようにしても良い。
【０１６４】
その場合には、広告サーバ１には、広告提示スケジュール情報記憶部１７の代わりに、広告提示履歴情報記憶部を設ける。そして、制御部１０は、この広告提示履歴情報記憶部に、いずれの広告情報を、どの広告装置に、何時送出し、何時送出停止（広告情報の変更を含む）したかの履歴情報を、書き込んで記憶させるようにする。すなわち、図４のステップＳおよびステップＳの後に、広告提示履歴情報記憶部に、広告情報を送った広告装置番号と、送った広告情報の広告ＩＤと、現在時刻の情報を記憶するステップＳを設けるようにすれば良い。そして、制御部１０は、この広告提示履歴情報を、ウエブサーバ３にも送って、記憶させるようにする。
【０１６５】
［第２の実施形態］
この第２の実施形態は、特定の開始時刻から先着順に、例えば商品購買整理券を配布するような場合に適用した例である。この第２の実施形態では、場所の情報は、特に用いないが、場所ごとに、商品購買整理券の枚数を決めておくような場合には、場所の情報も含めるようにしても良い。
【０１６６】
この第２の実施形態においては、例えば販売会社のホームページにおいて、特定の開始時刻から整理券の配布決定用の２次元バーコードパターンを表示するようにする。この２次元バーコードパターンには、上述の第１の実施形態と同様に、販売会社が指定するアクセス先のウエブサーバのＵＲＬに加えて、暗号化された現在時刻情報が含められる。この実施形態の場合には、時間の先後のみが判ればよいので、バーコードパターンの提示場所、つまり、位置情報はバーコードパターンには含める必要はない。
【０１６７】
この実施形態の場合の現在時刻情報は、先後を決定するためのものであるので、１／１０秒あるいは１／１００秒単位で変更し、当該変更の周期に合わせてバーコードパターンを更新するようにする。
【０１６８】
図１２は、この第２の実施形態の場合における情報処理システムの構成例を示すブロック図である。
【０１６９】
この図１２の例の情報処理システムは、販売会社側の構成部分と、ユーザ側の構成部分とからなる。
【０１７０】
販売会社側の構成部分は、販売会社の管理サーバ１０１と、販売会社のホームページの情報をインターネット１０５を通じて提供するウエブサーバ１０２と、販売会社の店舗１０３に置かれる店舗用パーソナルコンピュータ（以下、パソコンと略称する）１０４とからなる。
【０１７１】
ユーザ側の構成部分は、自宅などに置かれるユーザ用パソコン１０６と、ホームページに表示されたバーコードパターンを取り込み、販売会社側へのアクセスをするための取得手段および転送手段としての携帯電話端末１０７とからなる。携帯電話端末１０７の構成は、第１の実施形態の携帯電話端末４と同様である。
【０１７２】
携帯電話端末１０７からのアクセス情報は、携帯電話の無線基地局１０８を通じ、インターネット１０５を通じてウエブサーバ１０２に送られる。ユーザ用パソコン１０６は、バーコードパターンの提示手段としての役割を担う。
【０１７３】
図１２では、ユーザ側構成部分は、一人分のみを示したが、実際的には、多数のユーザのユーザ側構成部分が存在する。
【０１７４】
管理サーバ１０１は、ウエブサーバ１０２に接続されると共に、後述するように、ユーザ側の携帯電話端末１０７に対してメールを送るために、インターネット１０５にも接続される。
【０１７５】
ウエブサーバ１０２は、この実施形態では、管理サーバ１０１からの依頼に応じて販売会社のホームページをインターネット１０５を通じて配信する。そして、この実施形態では、ウエブサーバ１０２は、管理サーバ１０１からの指示に応じて、指示された開始時刻から終了時刻の間の期間、販売会社のホームページに２次元バーコードパターンを重畳表示するようにする。
【０１７６】
この実施形態では、ウエブサーバ１０２は、２次元バーコードパターンを生成する機能も備え、自ウエブサーバのＵＲＬに、暗号化された現在時刻情報を付加情報を付加した２次元バーコードパターンを生成する。この実施形態では、２次元バーコードパターンは、例えば１／１００秒単位で現在時刻情報の更新に合わせて更新される。
【０１７７】
この実施形態では、ウエブサーバ１０２のＵＲＬおよび現在時刻情報が提示用情報であり、２次元バーコードパターンが取得可能提示情報である。したがって、この第２の実施形態では、ウエブサーバ１０２が、第１の実施形態の広告サーバ１が備えていた時計回路１４やバーコード生成部１５などの機能を備える。そして、ウエブサーバ１０２が備える時計回路からの時刻情報が一元管理された時刻情報となる。
【０１７８】
なお、２次元バーコードパターンは、管理サーバ１０１が生成し、ウエブサーバ１０２に供給するように構成しても良い。
【０１７９】
ユーザ用パソコン１０６の表示画面には、提供された販売会社のホームページ１０９が表示されると共に、前記の開始時刻から終了時刻の間の期間、２次元バーコードパターン１１０がホームページ上に表示される。
【０１８０】
ユーザは、携帯電話端末１０７により、ユーザ用パソコン１０６の表示画面の２次元バーコードパターンを撮影して取り込む。携帯電話端末１０７は、取り込んだバーコードパターンから、第１の実施形態と同様にして、暗号化された時刻情報を付加情報として含むＵＲＬの情報（コード情報）を取得し、表示画面に表示する。
【０１８１】
ユーザは、表示されている時刻情報付きのＵＲＬの情報を保存する。そして、ユーザは、携帯電話端末１０７から、このＵＲＬの情報を用いてウエブサーバ１０２にアクセスする。この携帯電話端末１０７からのアクセスは、バーコードパターンを取り込んだ時点だけではなく、後の時点において、保存したＵＲＬの情報を用いてアクセスする場合も含むことは第１の実施形態と同様である。
【０１８２】
ウエブサーバ１０２は、このＵＲＬの情報（時刻情報付き）に基づくアクセスを受けると、この実施形態では、アクセスしてきたユーザに対して、メールアドレスを知らせるように指示する。ユーザが携帯電話端末１０７を通じてメールアドレスをウエブサーバ１０２に知らせると、ウエブサーバ１０２は、このメールアドレスを、アクセス時のＵＲＬの情報（時刻情報付き）と対応付けて、管理サーバ１０１に送る。
【０１８３】
管理サーバ１０１は、受け取ったメールアドレスを保存すると共に、受け取ったＵＲＬの情報の付加情報である暗号化された時刻情報を復号し、時刻情報を取得して、前記メールアドレスと対応付けて、アクセスユーザ情報として保存する。
【０１８４】
ウエブサーバ１０２および管理サーバ１０１は、予め定めたアクセスの有効期限が過ぎるまで、ユーザからのアクセスを受け付けて、上述した処理動作を行って、多数のユーザのメールアドレスと時刻情報との対応情報からなるアクセスユーザ情報を蓄積する。なお、アクセスの有効期限は、２次元バーコードパターンを表示したホームページにおいてユーザに提示するようにする。
【０１８５】
アクセスの有効期限が過ぎると、管理サーバ１０１は、蓄積したアクセスユーザ情報から、全ての時刻情報を読み出して、その時刻の先後を判定し、整理券発行順位を決める。そして、整理券発行順位から、整理券が発行されるユーザと、整理券を取得できないユーザとに分ける。
【０１８６】
そして、整理券が発行されるユーザには、その旨と、整理券発行順位（先着順位）とを含めたメールを、保存してあるメールアドレス宛に送る。また、整理券を取得できないユーザには、その旨のメッセージを含むメールを、保存してあるメールアドレス宛に送る。
【０１８７】
各ユーザは、その携帯電話端末１０７で、このメールを受け取る。ところで、この実施形態ではメールは改竄が可能であることを考慮して、整理券が発行された旨のメールを受け取った場合であっても、このメールのみでは、発行された整理券を有効としない。
【０１８８】
すなわち、この実施形態では、整理券が発行された旨のメールを受け取ったユーザは、そのメールを受信した携帯電話端末１０７を所持して、販売会社の店舗１０３に赴く。
【０１８９】
販売会社の店舗の販売員は、ユーザから携帯電話端末で受け取ったメールの提示を受けると共に、ユーザの携帯電話端末１０７に保存されている、バーコードパターンから取得されたＵＲＬの情報を、店舗用のパソコン１０４に転送する。そして、店舗用のパソコン１０４から、転送されたＵＲＬの情報を用いてウエブサーバ１０２にアクセスする。
【０１９０】
ウエブサーバ１０２は、受け取ったＵＲＬの情報を管理サーバ１０１に転送する。管理サーバは、再度、ＵＲＬの情報に付加されている暗号化されている時刻情報を復号し、時刻情報を得る。そして、保存している時刻情報と照合し、対応する整理券発行順位の情報を、店舗用のパソコン１０４に返信する。
【０１９１】
店舗の販売員は、この返信されてきた整理券発行順位と、ユーザから提示されたメールの整理券発行順位とを照合して、一致していれば発行された整理券を有効とする。
【０１９２】
以上のようにして、この第２の実施形態によれば、時刻情報を含めたバーコードパターンをユーザがホームページから取り込んで、指定された返信先にアクセスすることで、バーコードパターンの取得時刻に応じた順位で、整理券の発行がなされる。
【０１９３】
したがって、整理券の発行を受けるために店舗に出向いて並ぶなどの手間が省けると共に、並ぶ列の途中から不正に入るなどの行為による不正な整理券の取得を防止して、公正な順位判定に基づく整理券の発行ができる。
【０１９４】
［ウエブサーバ１０２での処理動作の例］
次に、この第２の実施形態におけるウエブサーバ１０２における処理動作の例を、図１３および図１４のフローチャートに示す。この図１３および図１４の処理動作は、ウエブサーバ１０２が備えるコンピュータからなる制御部が実行するものである。
【０１９５】
図１３は、販売会社のホームページに、前述した時刻情報およびＵＲＬを含む２次元バーコードを表示する処理動作例を示すフローチャートである。なお、販売会社のホームページには、事前に、整理券発行用のバーコードパターンが表示される年月日時分秒の情報がユーザに伝えられるものである。
【０１９６】
ウエブサーバ１０２は、整理券発行用のバーコードパターンの提示を開始する指定開始時刻になるのを待ち（ステップＳ５０１）、指定開始時刻なったと判別したときには、時ウエブサーバ１０２宛てのＵＲＬに、時計回路から取得した現在時刻情報を暗号化した情報を付加してコード情報（提示用情報）を生成する（ステップＳ５０２）。
【０１９７】
次に、ウエブサーバ１０２は、生成したコード情報から２次元バーコードパターンを生成し（ステップＳ５０３）、生成した２次元バーコードパターンを、ホームページに表示する（ステップＳ５０４）。
【０１９８】
次に、ウエブサーバ１０２は、現在時刻が整理券発行用のバーコードパターンの提示を終了する指定終了時刻になったか否か判別し（ステップＳ５０５）、指定終了時刻なっていないと判別したときには、ステップＳ５０２に戻って、時刻情報の更新に応じたバーコードパターンの更新の処理を繰り返す。
【０１９９】
そして、ステップＳ５０５で、指定終了時刻なったと判別したときには、ウエブサーバ１０２は、ホームページでの２次元バーコードパターンの表示を停止して（ステップＳ５０６）、この処理ルーチンを終了する。
【０２００】
図１４は、ユーザからのアクセスを受けたウエブサーバ１０２が実行する処理動作例を示すフローチャートである。
【０２０１】
ウエブサーバ１０２は、先ず、受信したアクセスが、ホームページで通知されたアクセス許可期間内のものであるか否かを判別する（ステップＳ５１１）。
【０２０２】
このステップＳ５１１で、アクセス許可期間内のアクセスであると判別したときには、ウエブサーバ１０２は、アクセス時のＵＲＬの情報に付加されている付加情報を取得して保持する（ステップＳ５１２）。
【０２０３】
次に、ウエブサーバ１０２は、関連するウエブページをアクセスしてきたユーザに対して提示して、ユーザのメールアドレスを要求する（ステップＳ５１３）。
【０２０４】
次に、ウエブサーバ１０２は、このメールアドレスの要求に対してユーザからメールアドレスを受信したか否か判別する（ステップＳ５１４）。このステップＳ５１４で、メールアドレスを受信したと判別したときには、ステップＳ５１２で保持した付加情報と、受信したメールアドレスとを対応付けて管理サーバ１０１に送る（ステップＳ５１５）。
【０２０５】
そして、ウエブサーバ１０２は、アクセスが切断されるのを待ち（ステップＳ５１６）、アクセスが切断されたと判別したときには、切断処理を行って（ステップＳ５１７）、この処理ルーチンを終了する。
【０２０６】
また、ステップＳ５１４で、メールアドレスを受信していないと判別したときには、アクセスが切断されたか否か判別し（ステップＳ５１８）、切断されていないと判別したときには、ステップＳ５１４に戻って、メールアドレスの受信を待つ。また、ステップＳ５１８でアクセスが切断されたと判別したときには、切断処理を行って（ステップＳ５１７）、この処理ルーチンを終了する。
【０２０７】
また、ステップＳ５１１で、アクセス許可期間を経過したアクセスであると判別したときには、ウエブサーバ１０２は、アクセスしてきたユーザに、アクセス許可期間を経過している旨の通知を送る（ステップＳ５１９）。そして、ステップＳ５１６に進み、アクセスが切断されるのを待ち、アクセスが切断されたと判別したときには、切断処理を行って（ステップＳ５１７）、この処理ルーチンを終了する。
【０２０８】
［管理サーバ１０１での処理動作の例］
この第２の実施形態における管理サーバ１０１における処理動作の例を図１５および図１６のフローチャートに示す。この図１５および図１６の処理動作は、管理サーバ１０１が備えるコンピュータからなる制御部が実行するものである。
【０２０９】
図１５は、管理サーバ１０１が、ユーザのアクセス時にウエブサーバ１０２から送られてくる情報を受信したときの処理動作例を示すフローチャートである。
【０２１０】
管理サーバ１０１は、ウエブサーバ１０２からの情報の受信を監視し（ステップＳ５２１）、ウエブサーバ１０２からの情報を受信したと判別したときには、受信した情報のうち、付加情報を解析デコードして、暗号化されている時刻情報を復号して時刻情報を取得する（ステップＳ５２２）。
【０２１１】
次に、管理サーバ１０１は、取得した時刻情報を、受信したメールアドレスと対応付けて、メモリに蓄積する（ステップＳ５２３）。
【０２１２】
次に、管理サーバ１０１は、設定されているアクセス許可期間が経過したか否か判別し（ステップＳ５２４）、経過していないと判別したときには、ステップＳ５２１に戻り、ウエブサーバ１０２からの情報の受信して、時刻情報とメールアドレスとを対応付けしてメモリに蓄積する処理を繰り返す。
【０２１３】
そして、ステップＳ５２４で、アクセス許可期間が経過したと判別したときには、ウエブサーバからは情報が送られて来ないので、メモリに蓄積した時刻情報に先後の順位を付与する（ステップＳ５２５）。
【０２１４】
そして、管理サーバ１０１は、付与した順位に応じて決定された整理券を発行する、発行しない、整理券発行順位などの結果情報を、各時刻情報に対応付けられてメモリに保存されているメールアドレスの相手先のそれぞれにメール送信する（ステップＳ５２６）。以上で、管理サーバ１０１は、この処理ルーチンを終了する。
【０２１５】
図１６は、店舗パソコン１０４からのアクセスを受けたときの管理サーバ１０１の処理動作例を示すフローチャートである。
【０２１６】
管理サーバ１０１は、店舗パソコンからのアクセスを受信したかどうかを監視し（ステップＳ５３１）、店舗パソコンからのアクセスを受信したと判別したときには、ＵＲＬの付加情報を解析デコードして、暗号化されている時刻情報を復号して時刻情報を取得する（ステップＳ５３２）。
【０２１７】
次に、管理サーバ１０１は、取得した時刻情報から付与された整理券発行順位の情報を、店舗パソコン１０４に対して返信する（ステップＳ５３３）。
【０２１８】
そして、管理サーバ１０１は、アクセスが切断されるのを待ち（ステップＳ５３４）、切断されたと判別したときには、切断処理を行い（ステップＳ５３５）、その後、ステップＳ５３１に戻る。
【０２１９】
［他の実施形態および変形例］
上述の実施形態では、時刻情報は、特定の情報としての暗号キーによって暗号されることにより、当該特定の情報と対応付けて提示用情報を生成するようにした。しかし、時刻情報と特定の情報との対応付けは、これに限られるものではない。例えば、時刻情報と、当該時刻情報の時刻の変化に対応して特定情報を変化させるようにして、時刻情報と特定の情報との対応付けを行っても良い。この場合には、時刻情報と、特定情報との対応関係が、正しくないときには、その時刻情報は、信頼性のない時刻情報であると判断される。
【０２２０】
また、以上の実施形態では、提示用情報には、アクセス先のＵＲＬを含めるようにしたが、バーコードパターンから取得した情報を、アクセス先に送る必要がないときには、当該ＵＲＬは不要であることは言うまでもない。
【０２２１】
また、提示用情報に含める位置情報は、上述の実施形態に限らず、場所名などを用いてもよいことは勿論である。
【０２２２】
また、以上の実施形態では、取得可能提示情報としては、バーコードパターンの例を示したが、これに限られるものではない。例えば、非接触情報通信が可能な機能を持つＩＣカードなどのように、提示用情報を、電磁誘導や静電誘導などにより非接触で取得できる形式の情報として提示する場合にも、この発明は適用可能である。
【図面の簡単な説明】
【０２２３】
【図１】この発明による情報処理システムの第１の実施形態の構成例を示すブロック図である。
【図２】この発明による情報処理システムの第１の実施形態における広告サーバのハードウエア構成例を示すブロック図である。
【図３】この発明による情報処理システムの第１の実施形態における広告装置のハードウエア構成例を示すブロック図である。
【図４】この発明による情報処理システムの第１の実施形態における広告サーバの処理動作例を示すフローチャートである。
【図５】この発明による情報処理システムの第１の実施形態における広告サーバの処理動作例を示すフローチャートである。
【図６】この発明による情報処理システムの第１の実施形態における広告装置の処理動作例を示すフローチャートである。
【図７】この発明による情報処理システムの第１の実施形態における広告装置による取得可能提示情報の提示状態を説明するための図である。
【図８】この発明による情報処理システムの第１の実施形態における携帯電話端末のハードウエア構成例を示すブロック図である。
【図９】この発明による情報処理システムの第１の実施形態における携帯電話端末の処理動作例を示すフローチャートである。
【図１０】この発明による情報処理システムの第１の実施形態におけるウエブサーバのハードウエア構成例を示すブロック図である。
【図１１】この発明による情報処理システムの第１の実施形態におけるウエブサーバの処理動作例を示すフローチャートである。
【図１２】この発明による情報処理システムの第２の実施形態の構成例を示すブロック図である。
【図１３】この発明による情報処理システムの第２の実施形態におけるウエブサーバの処理動作例を示すフローチャートである。
【図１４】この発明による情報処理システムの第２の実施形態におけるウエブサーバの処理動作例を示すフローチャートである。
【図１５】この発明による情報処理システムの第２の実施形態における管理サーバの処理動作例を示すフローチャートである。
【図１６】この発明による情報処理システムの第２の実施形態における管理サーバの処理動作例を示すフローチャートである。
【符号の説明】
【０２２４】
１…広告サーバ、２１〜２ｎ…広告装置、３，１０２…ウエブサーバ、４，１０７…携帯電話端末、６，１０５…インターネット、１０１…管理サーバ、１０６…ユーザ用パソコン
【図１】
2010128528.tif 000003
【図２】
2010128528.tif 000004
【図３】
2010128528.tif 000005
【図４】
2010128528.tif 000006
【図５】
2010128528.tif 000007
【図６】
2010128528.tif 000008
【図７】
2010128528.tif 000009
【図８】
2010128528.tif 000010
【図９】
2010128528.tif 000011
【図１０】
2010128528.tif 000012
【図１１】
2010128528.tif 000013
【図１２】
2010128528.tif 000014
【図１３】
2010128528.tif 000015
【図１４】
2010128528.tif 000016
【図１５】
2010128528.tif 000017
【図１６】
2010128528.tif 000018